(57)【要約】      （修正有）【課題】神経細胞変性症等に罹病した結果、歩行困難に成った者のうち、特に歩行機能の低下により歩行の踏み出しが出来ない歩行困難者に対し、第一歩を踏み出す力を引き出す歩行機能活性化誘道具を提供することにより、この種の歩行困難者が単独で歩行出来るようにする。【解決手段】前支脚４，６、後支脚５，７を有する逆Ｕ字型の脚１，２の前支脚４，６の上部をフレーム３Ａ、下部を３Ｂで繋結して構成した歩行補助器の左右の前支脚、後支脚の下部にフレーム８，９を設置し、その中間部に短形の棒状体１０，１１を内側に向けて取り付けることにより、使用者である歩行困難者が足の爪先の手前に障害物のあることを認識し、これを避けようとする反射反応により低下した歩行機能を刺激し、踏み出しの実現への力を生み出し単独での歩行が出来ることに役立つ。杖使用の場合も杖１２の下端部近くに棒状体を取り付けることにより、同様の効果を挙げることに役立つ。【選択図】図２
0003131778.tif 000002
【実用新案登録請求の範囲】
【請求項１】
左右にある前支脚４、６、後支脚５，７を有する逆Ｕ字型脚１、２の前支脚４，６の上部をフレーム３Ａ、下部をフレーム３Ｂで繋結して構成した歩行補助器の左右の前支脚、後支脚の下部にフレーム８，９を設置し、その中間部に短形の棒状体１０，１１を内側に向けて取り付けることを特徴とする歩行機能活性化誘導具。
【請求項２】
杖１２の下端部近くに短形の棒状体１３を、杖を持った時の使用者の身体側に向くように取り付けることを特徴とする歩行機能活性化誘導具。
【考案の詳細な説明】
【技術分野】
【０００１】  神経細胞変性症に罹病した患者は歩行困難となる者が多いが、特に、パーキンソン病患者の場合の歩行困難は、歩行機能の低調化により最初の一歩が踏み出せないことが特徴となっており、歩行補助器を使用しても、最初の踏み出しを他力によって誘導することが必要であり、単独で歩行することが極めて困難な状況に置かれる。
本考案は、歩行補助器又は杖に使用者の歩行機能を刺激し、これを活性化に導く棒状体を取り付けた歩行機能活性化誘導具に関するものである。
【背景技術】
【０００２】  足の筋肉が本人の意思通りに動かず歩行困難になった者の歩行を助ける補助具としては、図１に示す歩行補助器又は図４に示す杖があり、歩行補助器の場合は使用者が左右両脚の間に入りアームの握り手の部分をにぎり、身体の安定を図ると共に、足への荷重を軽くして足が動き易い状態をつくり、足の動きに応じ左右の握り手を交互にうごかして歩行補助器を少しずつ移動させることにより、歩行の実行の確保を図ることが行われている。また、杖による場合も前記同様杖に体重を託すことにより足が動き易い状態をつくり、歩行の実行の確保を図ることが行われている。
【考案の開示】
【考案が解決しようとする課題】
【０００３】  背景技術で述べた歩行補助器は、使用者が中に入って左右の脚の握り手を握り体重の足への荷重を軽くし、足が動きやすいようにして、足の動きに応じて左右の脚を少しずつ移動して歩行を勧めることが出来るが、パーキンソン患者の場合、歩行にあたり、歩行の第一歩が踏み出せないことが特徴であるので、起立の安定と足への荷重の軽減は図れても単独では歩行が実現しないまま経過するしかない状態が続くことになる。
使用者をこの状態から抜け出させる為には初めの第一歩を踏み出させる補助者の誘導が必要となることとなる。杖を使用する場合も同様である。
そこで、歩行の第一歩を踏みだし易い状況をつくる方法について種々実験を重ねた結果、足の爪先の手前に小さな障害物があると、反射的にこれを避けようとする反射反応が生じ、それが第一歩を踏み出す力を生み出すきっかけになることが確認されたので、これが低調化した歩行機能の活性化への助けになることに着目し、これを利用することにより、足の第一歩の踏みだしを容易にして、このような歩行困難者でも歩行補助器又は杖に障害物に対する反射反応を生じさせる機能を持たせることにより、歩行困難者が単独でも歩行できるようにしようとするものである。
【課題を解決するための手段】
【０００４】  本考案は、歩行困難な使用者が中に入る歩行補助器の左右の脚のそれぞれの下部に設けたアームの中間部に、杖の場合はその下端部近くに短形の棒状体を取り付け、使用者に、足の手前に障害物があることを認識させ、それを避けようとする反射反応が生み出す力により第一歩を踏み出させることを可能にすれば、以後歩行が継続的に行われるようになり、補助者がいなくても歩行補助器又は杖を操作することにより単独で歩行することが出来、問題点を解決することになる。
【考案の効果】
【０００５】  上述の様に、本考案の歩行機能活性化誘道具は、パーキンソン病患者の歩行困難の特徴である第一歩の踏みだしが出来ないことを、足の手前に障害物となる短形の棒状体を置くことにより、第一歩を踏み出す力を引き出すものであり、歩行機能の活性化の誘導に役立つことが出来る。【０００６】  本考案の歩行機能活性化誘道具は、前記したように、歩行補助器に取り付けるほか、杖により歩行する者については、杖の下端部近くに短形の棒状体を取り付けることにより上記同様歩行機能の活性化の誘導に役立つことができる。
【考案を実施するための最良の形態】
【０００７】  短形の棒状体は、歩行補助器の下部のアームに取り付ける場合は、固定的に取りつけるが、位置は移動調整可能にする。
また、短形の棒状体は歩行の際、または、歩行補助器や杖を前後に移動する際に足に触ったり踏んだり躓いたりすることがあるので、柔らかいゴム状のパイプ等軟質のものを使用することにより使用者の安全を図る。
また、暗い場所での使用を考慮して、棒状体に電気装置を設置して状況に応じ照明がつくようにして棒状体の位置を鮮明にし、使用者の安全を図る。
【実施例】
【０００８】  以下、添付図面に従って一実施例を説明する。１，２は本案の歩行機能活性化誘導具を構成する脚であり、３Ａ、３Ｂは左右の脚を繋結する上下のフレーム、４，６は左右の脚の前支脚、５，７は後支脚、８，９は前支脚と後支脚の下部に取り付けたフレームであり、１０，１１はこれに設けた棒状体である。【０００９】  本考案の一実施例は、上述の如き構成からなるものであるから、歩行補助器の  左右の脚１，２の間に入った使用者は前支脚４，６、後支脚５，７の下部に取り付けられたフレーム８，９に設けられた棒状体１０，１１が障害物として自分の足の爪先の手前にあることを認識することになる。
また、杖を使用する者の場合は、歩行に当たり杖を持つことにより、歩行補助器の場合と同様、杖の下部に設けられた棒状体により、足の爪先の手前に障害物があることを認識することになる。
【図面の簡単な説明】
【００１０】
【図１】歩行補助器の実施例を示す斜視図である。
【図２】本考案の、歩行補助器による歩行機能活性化誘導具の一実施例を示す斜視図である。
【図３】本考案の、歩行補助器による歩行機能活性化誘道具の一実施例を示す正面図である。
【図４】本考案の、杖による歩行機能活性化誘導具の一実施例を示す正面図である。
【符号の説明】
【００１１】  １  歩行補助器の左脚
２  歩行補助器の右脚
３Ａ  左右脚を繋結する上部フレーム
３Ｂ  左右脚を繋結する下部フレーム
４  歩行補助器の左脚の前支脚
５  歩行補助器の左脚の後支脚
６  歩行補助器の右脚の前支脚
７  歩行補助器の右脚の後支脚
８  歩行補助器の左脚の前、後支脚の下部フレーム
９  歩行補助器の右脚の前、後支脚の下部フレーム
１０  左脚の棒状体
１１  右脚の棒状体
１２  杖
１３  杖の棒状体
【図１】
0003131778.tif 000003
【図２】
0003131778.tif 000004
【図３】
0003131778.tif 000005
【図４】
0003131778.tif 000006